(57)【要約】【課題】検索効率が高くて操作性が良い情報検索装置を提供すること。【解決手段】本発明によるデータ処理装置又はデータ処理方法又はコンピュータに実行させる情報処理プログラムを記録したコンピュータ読み取り可能な記録媒体は以下の構成を備えている。即ち、文字列を含む複数の情報から検索するシステムにおいて、個人を正規化する個人履歴情報保持ステップと、文字列を含む情報を複数保持する情報保持ステップと、クエリーを入力するクエリー入力ステップと、クエリーを解析するクエリー解析ステップと、クエリーを正規化し、検索するステップと、検索した結果を１つ又は複数個表示する検索結果表示ステップとを有する。【選択図】図１
2005202581.tif 000002
【特許請求の範囲】
【請求項１】
文字列を含む複数の情報から検索するシステムにおいて、
個人を正規化する個人履歴情報保持ステップと、
文字列を含む情報を複数保持する情報保持ステップと、
クエリーを入力するクエリー入力ステップと、
クエリーを解析するクエリー解析ステップと、
クエリーを正規化し、検索するステップと、
検索した結果を１又は複数個表示する検索結果表示ステップとを有することを特徴とする情報検索装置。
【請求項２】
文字列を含む複数の情報から検索するシステムにおいて、
個人情報を関連付けて記憶するステップと、
検索対象の情報登録時に個人履歴情報から登録情報の個人データを正規化するステップと、
文字列を含む情報を複数保持する情報保持ステップと、
クエリーを入力するクエリー入力ステップと、
クエリーを解析するクエリー解析ステップと、
クエリーを正規化し、検索するステップと、
検索した結果を１つ又は複数個表示する検索結果表示ステップとを有することを特徴とする情報検索装置。
【請求項３】
上記個人履歴情報は氏名、役職を含むことを特徴とする請求項１又は２記載の情報検索装置。
【請求項４】
上記個人履歴情報は氏名、役職、所属部署を含むことを特徴とする請求項１又は２記載の情報検索装置。
【請求項５】
上記個人履歴情報は氏名、役職、所属部署、所属及び役職の担当開始、担当終了を含むことを特徴とする請求項１又は２記載の情報検索装置。
【請求項６】
上記個人履歴情報の氏名、役職、所属部署はコード化されていることを特徴とする請求項１〜５の何れかに記載の情報検索装置。
【請求項７】
文字列を含む複数の情報から検索するシステムにおいて、
個人情報を入力するステップと、
個人情報を関連付けて記憶するステップと、
検索対象の情報登録時に個人情報から登録情報の個人データを正規化するステップと、
文字列を含む情報を複数保持する情報保持ステップと、
クエリーを入力するクエリー入力ステップと、
クエリーを解析するクエリー解析ステップと、
クエリーを正規化し、検索するステップと、
検索した結果を１つ又は複数個表示する検索結果表示ステップとを有することを特徴とする情報検索装置。
【請求項８】
文字列を含む複数の情報から検索するシステムにおいて、
個人情報を入力するステップと、
個人情報を関連付けて記憶するステップと、
検索対象の情報登録時に個人情報から登録情報の個人データを正規化するステップと、
文字列を含む情報を複数保持する情報保持ステップと、
クエリーを入力するクエリー入力ステップと、
クエリーを解析するクエリー解析ステップと、
クエリーを正規化し、検索するステップと、
該当する部署所属期間、役職担当期間に作成された情報のみを結果とするステップと、
検索した結果を１つ又は複数個表示する検索結果表示ステップとを有することを特徴とする情報検索装置。
【請求項９】
文字列を含む複数の情報から検索するシステムにおいて、
個人情報を入力するステップと、
個人情報を関連付けて記憶するステップと、
検索対象の情報登録時に個人履歴情報から登録情報の個人データを正規化するステップと、
文字列を含む情報を複数保持する情報保持ステップと、
クエリーを入力するクエリー入力ステップと、
クエリーを解析するクエリー解析ステップと、
クエリーを正規化し、検索するステップと、
該当する部署所属期間、役職担当期間に作成された情報を一致度を高くするステップと、
検索した結果を１つ又は複数個表示する検索結果表示ステップとを有することを特徴とする情報検索装置。
【請求項１０】
上記個人履歴情報は名簿や人事異動データ等からから作成されることを特徴とする請求項１〜９の何れかに記載の情報検索装置。
【請求項１１】
上記個人履歴情報は検索対象となる文書等からから作成されることを特徴とする請求項１〜９の何れかに記載の情報検索装置。
【請求項１２】
上記個人履歴情報は検索対象となる文書等からから検索対象文書登録時に作成されることを特徴とする請求項１〜９の何れかに記載の情報検索装置。
【請求項１３】
上記個人履歴情報は検索対象となる文書等から検索対象文書登録時に追加されることを特徴とする請求項１〜９の何れかに記載の情報検索装置。
【請求項１４】
文字列を含む複数の情報から検索するシステムにおいて、
個人を正規化する個人履歴情報保持ステップと、
文字列を含む情報を複数保持する情報保持ステップと、
クエリーを入力するクエリー入力ステップと、
クエリーを解析するクエリー解析ステップと、
クエリーを正規化し、検索するステップと、
検索した結果を１つ又は複数個表示する検索結果表示ステップとを有することを特徴とするデータ処理方法。
【請求項１５】
文字列を含む複数の情報から検索するシステムにおいて、
個人情報を関連付けて記憶するステップと、
検索対象の情報登録時に個人履歴情報から登録情報の個人データを正規化するステップと、
文字列を含む情報を複数保持する情報保持ステップと、
クエリーを入力するクエリー入力ステップと、
クエリーを解析するクエリー解析ステップと、
クエリーを正規化し、検索するステップと、
検索した結果を１つ又は複数個表示する検索結果表示ステップとを有することを特徴とするデータ処理方法。
【請求項１６】
上記個人履歴情報は氏名、役職を含むことを特徴とする請求項１４又は１５記載のデータ処理方法。
【請求項１７】
上記個人履歴情報は氏名、役職、所属部署を含むことを特徴とする請求項１４又は１５記載のデータ処理方法。
【請求項１８】
上記個人履歴情報は氏名、役職、所属部署、所属及び役職の担当開始、担当終了を含むことを特徴とする請求項１４又は１５記載のデータ処理方法。
【請求項１９】
上記個人履歴情報の氏名、役職、所属部署はコード化されていることを特徴とする請求項１４〜１８の何れかに記載のデータ処理方法。
【請求項２０】
文字列を含む複数の情報から検索するシステムにおいて、
個人情報を入力するステップと、
個人情報を関連付けて記憶するステップと、
検索対象の情報登録時に個人情報から登録情報の個人データを正規化するステップと、
文字列を含む情報を複数保持する情報保持ステップと、
クエリーを入力するクエリー入力ステップと、
クエリーを解析するクエリー解析ステップと、
クエリーを正規化し、検索するステップと、
検索した結果を１つ又は複数個表示する検索結果表示ステップとを有することを特徴とするデータ処理方法。
【請求項２１】
文字列を含む複数の情報から検索するシステムにおいて、
個人情報を入力するステップと、
個人情報を関連付けて記憶するステップと、
検索対象の情報登録時に個人情報から登録情報の個人データを正規化するステップと、
文字列を含む情報を複数保持する情報保持ステップと、
クエリーを入力するクエリー入力ステップと、
クエリーを解析するクエリー解析ステップと、
クエリーを正規化し、検索するステップと、
該当する部署所属期間、役職担当期間に作成された情報のみを結果とするステップと、
検索した結果を１つ又は複数個表示する検索結果表示ステップとを有することを特徴とするデータ処理方法。
【請求項２２】
文字列を含む複数の情報から検索するシステムにおいて、
個人情報を入力するステップと、
個人情報を関連付けて記憶するステップと、
検索対象の情報登録時に個人履歴情報から登録情報の個人データを正規化するステップと、
文字列を含む情報を複数保持する情報保持ステップと、
クエリーを入力するクエリー入力ステップと、
クエリーを解析するクエリー解析ステップと、
クエリーを正規化し、検索するステップと、
該当する部署所属期間、役職担当期間に作成された情報を一致度を高くするステップと、
検索した結果を１つ又は複数個表示する検索結果表示ステップとを有することを特徴とするデータ処理方法。
【請求項２３】
上記個人履歴情報は名簿や人事異動データ等からから作成されることを特徴とする請求項１４〜２２の何れかに記載のデータ処理方法。
【請求項２４】
上記個人履歴情報は検索対象となる文書等からから作成されることを特徴とする請求項１４〜２２の何れかに記載のデータ処理方法。
【請求項２５】
上記個人履歴情報は検索対象となる文書等から検索対象文書登録時に作成されることを特徴とする請求項１４〜２２の何れかに記載のデータ処理方法。
【請求項２６】
上記個人履歴情報は検索対象となる文書等からから検索対象文書登録時に追加されることを特徴とする請求項１４〜２２の何れかに記載のデータ処理方法。
【請求項２７】
文字列を含む複数の情報から検索するシステムにおいて、
個人を正規化する個人履歴情報保持ステップと、
文字列を含む情報を複数保持する情報保持ステップと、
クエリーを入力するクエリー入力ステップと、
クエリーを解析するクエリー解析ステップと、
クエリーを正規化し、検索するステップと、
検索した結果を１つ又は複数個表示する検索結果表示ステップとを有することをコンピュータに実行させる情報処理プログラムを記録したコンピュータ読み取り可能な記録媒体。
【請求項２８】
文字列を含む複数の情報から検索するシステムにおいて、
個人情報を関連付けて記憶するステップと、
検索対象の情報登録時に個人履歴情報から登録情報の個人データを正規化するステップと、
文字列を含む情報を複数保持する情報保持ステップと、
クエリーを入力するクエリー入力ステップと、
クエリーを解析するクエリー解析ステップと、
クエリーを正規化し、検索するステップと、
検索した結果を１つ又は複数個表示する検索結果表示ステップとを有することをコンピュータに実行させる情報処理プログラムを記録したコンピュータ読み取り可能な記録媒体。
【請求項２９】
上記個人履歴情報は氏名、役職を含むことを特徴とする請求項２７又は２８記載のコンピュータに実行させる情報処理プログラムを記録したコンピュータ読み取り可能な記録媒体。
【請求項３０】
上記個人履歴情報は氏名、役職、所属部署を含むことを特徴とする請求項２７又は２８記載のコンピュータに実行させる情報処理プログラムを記録したコンピュータ読み取り可能な記録媒体。
【請求項３１】
上記個人履歴情報は氏名、役職、所属部署、所属及び役職の担当開始、担当終了を含むことを特徴とする請求項２７又は２８記載のコンピュータに実行させる情報処理プログラムを記録したコンピュータ読み取り可能な記録媒体。
【請求項３２】
上記個人履歴情報の氏名、役職、所属部署はコード化されていることを特徴とする請求項２７〜３１の何れかに記載のコンピュータに実行させる情報処理プログラムを記録したコンピュータ読み取り可能な記録媒体。
【請求項３３】
文字列を含む複数の情報から検索するシステムにおいて、
個人情報を入力するステップと、
個人情報を関連付けて記憶するステップと、
検索対象の情報登録時に個人情報から登録情報の個人データを正規化するステップと、
文字列を含む情報を複数保持する情報保持ステップと、
クエリーを入力するクエリー入力ステップと、
クエリーを解析するクエリー解析ステップと、
クエリーを正規化し、検索するステップと、
検索した結果を１つ又は複数個表示する検索結果表示ステップとを有することをコンピュータに実行させる情報処理プログラムを記録したコンピュータ読み取り可能な記録媒体。
【請求項３４】
文字列を含む複数の情報から検索するシステムにおいて、
個人情報を入力するステップと、
個人情報を関連付けて記憶するステップと、
検索対象の情報登録時に個人情報から登録情報の個人データを正規化するステップと、
文字列を含む情報を複数保持する情報保持ステップと、
クエリーを入力するクエリー入力ステップと、
クエリーを解析するクエリー解析ステップと、
クエリーを正規化し、検索するステップと、
該当する部署所属期間、役職担当期間に作成された情報のみを結果とするステップと、
検索した結果を１つ又は複数個表示する検索結果表示ステップとを有することをコンピュータに実行させる情報処理プログラムを記録したコンピュータ読み取り可能な記録媒体。
【請求項３５】
文字列を含む複数の情報から検索するシステムにおいて、
個人情報を入力するステップと、
個人情報を関連付けて記憶するステップと、
検索対象の情報登録時に個人履歴情報から登録情報の個人データを正規化するステップと、
文字列を含む情報を複数保持する情報保持ステップと、
クエリーを入力するクエリー入力ステップと、
クエリーを解析するクエリー解析ステップと、
クエリーを正規化し、検索するステップと、
該当する部署所属期間、役職担当期間に作成された情報を一致度を高くするステップと、
検索した結果を１つ又は複数個表示する検索結果表示ステップとを有することをコンピュータに実行させる情報処理プログラムを記録したコンピュータ読み取り可能な記録媒体。
【請求項３６】
上記個人履歴情報は名簿や人事異動データ等からから作成されることを特徴とする請求項２７〜３５の何れかに記載のコンピュータに実行させる情報処理プログラムを記録したコンピュータ読み取り可能な記録媒体。
【請求項３７】
上記個人履歴情報は検索対象となる文書等からから作成されることを特徴とする請求項２７〜３５の何れかに記載のコンピュータに実行させる情報処理プログラムを記録したコンピュータ読み取り可能な記録媒体。
【請求項３８】
上記個人履歴情報は検索対象となる文書等からから検索対象文書登録時に作成されることを特徴とする請求項２７〜３５の何れかに記載のコンピュータに実行させる情報処理プログラムを記録したコンピュータ読み取り可能な記録媒体。
【請求項３９】
上記個人履歴情報は検索対象となる文書等からから検索対象文書登録時に追加されることを特徴とする請求項２７〜３５の何れかに記載のコンピュータに実行させる情報処理プログラムを記録したコンピュータ読み取り可能な記録媒体。
【発明の詳細な説明】
【技術分野】
【０００１】
本発明は、データ検索装置データ処理方法及びコンピュータ読み取り可能な記録媒体に関する。
【背景技術】
【０００２】
図１は従来のシステムの構成図であり、プログラムに従って処理を実行する中央処理装置１、検索結果を表示する表示装置４、検索対象となる文書やアノテーション付き画像等、プログラム、辞書の納まっている記憶装置２、ＦＤ（フロッピーディスク）・ＣＤ−ＲＯＭ・ＲＯＭ・磁気テープ等の記録媒体に記憶されたプログラム、データ等を記憶装置２に読み取る記憶媒体読取装置５、処理を操作するキーボード、マウス等の入力装置３により、構成されている。
【０００３】
大量の文書データを扱う機会が増加してきたため、所望の文書データを検索する手段も多種多様になってきている。単純なキーワード検索（キーワードを指示し、それが出現するか否かで検索を行う）だけではユーザの要求を十分に満たさなくなってきているためである。そのため、キーワード間の関係や構文情報の類似度による方法や文書の内容を特徴付ける文書ベクトルを用いて検索を行う方法が増えてきている。内容を特徴付ける意味、分野、単語そのものを次元とし、その特徴量を値とすることでベクトル表現し、文書ベクトル間の内積等の値を用いて文書間の類似度を求める方法も特許文献１等で考案されている。ユーザは検索目的や検索状況によって、どの検索方法で検索するかを決定し検索を行っていた。
【０００４】
図４は従来の検索の概略フローチャートであり、入力装置３によりクエリーを取得するステップ（ステップ４１）。次に、ステップ４１で取得したクエリーを解析するステップ（ステップ４２）。全文検索又は単語検索で検索するステップ（ステップ４３）表示装置４に検索結果を表示するステップ（ステップ４４）とから成る。
【０００５】
図５は従来の登録の概略フローチャートであり、登録データを必要に応じて言語解析を行うステップ（ステップ５１）。登録データを全文検索用のインデックスに登録するステップ又は単語検索用のインデックスに登録するステップ（ステップ５２）とから成る。
【０００６】
図１３の例に基づいて説明する。
【０００７】
入力されたクエリー「施設課係長」を取得し、図１１のような全文検索インデックスを検索し、記憶装置２に格納されている文書等と一致判定する。一致した場合、検索結果リストに追加し、対象文書等を全て検索する。つまり、クエリーを含むデータを判定しリストアップする。
【０００８】
検索が終了すると、図１７のように一致した文書等を検索順又は一致度の大きいものから順に一覧表示を検索結果として表示装置４に表示する。
【０００９】
【特許文献１】特開平６−１９５３８８号公報
【発明の開示】
【発明が解決しようとする課題】
【００１０】
図１３のようにクエリーとして「施設課係長」という単語を入力し、全文検索モードで検索指示した場合、図１９のような全文検索結果が得られる。この例では、現在の「施設課係長」という単語を含んだ文書或は画像等を検索したいという意図で検索を行ったと仮定した場合、ここで入力したクエリー「施設課係長」と単語「施設課」或は「係長」を含んだ文書或は画像等を検索される。この結果、「１０年前の施設課係長」や「施設課」「係長」を含む文書等が検索される。たとえクエリーが「現在の施設課係長」でも同様な結果になる。「１０年前の施設課係長」を検索したい場合、同様に最適な結果が出なかったり、検索時間が掛かったりする場合がある。
【００１１】
本発明は上記問題に鑑みてなされたもので、その目的とする処は、検索効率が高くて操作性が良い情報検索装置、データ処理方法及びコンピュータ読み取り可能な記録媒体を提供することにある。
【課題を解決するための手段】
【００１２】
上記目的を達成するための本発明によるデータ処理装置又はデータ処理方法又はコンピュータに実行させる情報処理プログラムを記録したコンピュータ読み取り可能な記録媒体は以下の構成を備えている。
【００１３】
即ち、文字列を含む複数の情報から検索するシステムにおいて、個人を正規化する個人履歴情報保持ステップと、文字列を含む情報を複数保持する情報保持ステップと、クエリーを入力するクエリー入力ステップと、クエリーを解析するクエリー解析ステップと、クエリーを正規化し、検索するステップと、検索した結果を１つ又は複数個表示する検索結果表示ステップとを有する。
【発明の効果】
【００１４】
本発明によれば、目的の文書やアノテーション付きの画像、ＷＥＢ等の情報を検索する際に、入力されたクエリーを言語解析し、個人を特定正規化することによって、ノイズの少ない精度の高い検索結果が得られるため、目的の情報を効果的に検索することが可能となる。又、正規化によりより高速な検索、インデックスサイズの縮小が得られる。
【発明を実施するための最良の形態】
【００１５】
以下に本発明の実施の形態を添付図面に基づいて説明する。
【００１６】
本発明の情報検索装置のブロック図を図１に示す。
【００１７】
情報検索装置はプログラムに従って処理を実行する中央処理装置１、情報検索結果等を表示する表示装置４、プログラム、辞書の納まっている記憶装置２、ＦＤ（フロッピーディスク）・ＣＤ−ＲＯＭ・ＲＯＭ・磁気テープ等の記録媒体に記憶されたプログラム、データ等を記憶装置２に読み取る記憶媒体読取装置５、処理を操作するキーボード、マウス等の入力装置３により、その主要部が構成されていて基本的には従来と同じである。
【００１８】
又、図２のようなサーバー、クライアントがネットワークによって接続されているシステムに対しても適用される。更に、図３のようなインターネットに接続し、ＷＥＢの検索等にも適用される。
【００１９】
図８は文書等を登録するときのフローチャートである。
【００２０】
記憶装置３等に記憶された登録データ（文書等）を取得するステップ（ステップ８１）。登録データ（文書等）を言語処理するステップ（ステップ８２）は、単語辞書等を参照しながら、形態素解析を行い、場合により構文解析や意味解析等を行う。ステップ８２で得られた解析結果の姓や名前等のデータを個人履歴情報を基に個人を識別するステップ（ステップ８３）。ステップ８３で識別した個人を正規化するステップ（ステップ８４）。ステップ８２からステップ８４で得られた登録データや解析結果から作成された全文検索インデックス情報等を記憶装置２のデータベース等に格納するステップ（ステップ８５）という構成である。
【００２１】
図６は検索概略フローチャートであり、入力装置３によりクエリーを取得するステップ（ステップ６１）。次に、ステップ６１で取得したクエリーを言語解析を行うステップ（ステップ６２）。次に、ステップ６２で取得したクエリーの言語解析の結果の姓や名前等から個人履歴情報を基に、個人を識別するステップ（ステップ６３）。ステップ６３の結果から、個人を正規化するステップ（ステップ６４）。ステップ６２からステップ６４で得られたキーワードから検索するステップ（ステップ６５）。検索ステップの検索結果リストを表示装置４に一致度の高い順に一覧表示するステップ（ステップ６６）とから成る。
【００２２】
又、図７はクエリー言語解析（ステップ５２）の詳細フローチャートであり、クエリーを形態素解析するステップ（ステップ７１）は、クエリーの文字列に対して、単語辞書を参照しながら、形態素解析を行う。場合によりクエリーを構文解析するステップ（ステップ７２）は係り受け解析等の構文情報を作成する。又、クエリーを意味解析ステップ（ステップ７３）は意味情報等から意味解析を行う。
【００２３】
図９は個人識別、個人正規化で適用する個人履歴情報の作成のために必要な名簿データや人事異動データ等の個人情報を登録するときのフローチャートである。記憶装置３等に記憶された名簿データや人事異動データを取得するステップ（ステップ９１）。ステップ９１で得られた個人情報から作成された情報等を記憶装置２のデータベース等に格納するステップ（ステップ９２）という構成である。
【００２４】
次に、本発明検索の方法の一実施例の表示例に従って処理の流れに沿って説明する。
【００２５】
個人特定や個人正規化で必要となる図１９のような個人履歴情報や図２０及び図２１のような名称履歴情報の作成を図９のフローチャートに沿って説明する。
【００２６】
図２２のような名簿データや図２３のような人事異動データを入力装置３より入力する。この個人情報取得ステップ（ステップ９１）で個人情報を記憶装置２に格納する。個人情報取得ステップで取得した個人情報から記憶装置２に格納されている個人履歴情報それに関連する名称履歴情報に登録する（ステップ９２）。
【００２７】
次に、検索に必要となるインデックス登録処理を図８のフローチャートに沿って説明する。
【００２８】
図１０のような検索対象となる文書又は画像のアノテーション等の情報を取得する登録データ取得ステップ（ステップ８１）。この登録データ取得ステップ（ステップ８１）で登録データを記憶装置２に格納する。登録データ取得ステップで取得した登録データを入力とし、登録データ言語処理ステップ（ステップ８２）の中で登録データの言語解析ステップ（ステップ７１）で記憶装置２に格納された単語辞書を検索し、必要に応じて、構文解析ステップ（ステップ７２）や意味解析ステップ（ステップ７３）が行われて、言語解析結果が作成される。個人特定ステップ（ステップ８３）ではステップ８２で言語処理した結果と図９の名簿等登録処理で作成された個人履歴情報を基に、言語解析結果の人に関する単語「斎藤」「太郎」「保健福祉部」「施設課」「主任」を記憶装置３に格納されている個人履歴情報から個人を特定する。個人正規化ステップ（ステップ８４）で特定した個人を個人履歴情報から個人コード「０１１２５」に正規化する。検索インデックスデータ登録ステップ（ステップ８５）では正規化した登録データを、記憶装置２に格納された検索に必要な図１２のような検索インデックスに登録する。
【００２９】
次に、検索処理を図６のフローチャートに沿って説明する。
【００３０】
図１４のように入力装置３よりクエリーとして入力されている入力文字列“斎藤主任”である。このクエリー取得ステップ（ステップ６１）でクエリーを記憶装置２に格納する。クエリー取得ステップで取得したクエリーを入力とし、クエリー言語処理ステップ（ステップ６２）の中で表３のような記憶装置２に格納された単語辞書を検索し、言語解析し、単語「斎藤」「主任」のような解析結果が作成される。個人特定ステップ（ステップ６３）ではステップ６２で言語処理した結果と図９の名簿等登録処理で作成された個人履歴情報を基に、姓「斎藤」名前「太郎」役職「主任」所属「保健福祉部施設課」開始「１９９９９／０４／０１」終了「２０００／０３／３１」個人と特定する。個人正規化ステップ（ステップ６４）で特定した個人を個人コード「０１１２５」部署コード「２３１」開始「１９９９／０４／０１」終了「２０００／０３／３１」に正規化する。全文検索ステップ（ステップ６５）では、記憶装置２に格納された文書又は画像のアノテーション等の情報と図１２のような全文検索インデックスから文字列「０１１２５」個人コードを検索する。
【００３１】
文書管理データ又は文書又は画像のアノテーション等の情報の作成日時が「１９９９／０４／０１」から「２０００／０３／３１」に該当する文書又は画像のアノテーション等の情報を一致度を高くする。又、検索結果リストを図１７のように表示装置４に一致度の高い順に一覧表示する（ステップ６６）。又は、記憶装置２に格納する。
【００３２】
又、本発明は、複数の機器から構成されるシステムに適用しても、１つの機器から成る装置に適用しても良い。又、本発明はシステム或は装置にプログラムを供給することによって実施される場合にも適用されることは言うまでもない。この場合、本発明に係るプログラムを格納した記憶媒体が、本発明を構成することになる。そして、該記憶媒体からそのプログラムをシステム或は装置に読み込ませることによって、そのシステム或は装置が予め定められた方法で動作する。
【００３３】
プログラムを格納する記録媒体としては、ＲＯＭ、フロッピーディスク、ＣＤ−ＲＯＭ、ハードディスク、メモリカード、光磁気ディスク等を用いることができる。
【００３４】
目的の文書やアノテーション付きの画像、ＷＥＢ等の情報を検索するための情報検索装置に対して適用可能である。
【図面の簡単な説明】
【００３５】
【図１】実施例１における情報処理システムの構成を表したブロック図である。
【図２】実施例１における情報処理システムのネットワークとの接続例である。
【図３】実施例１における情報処理システムのインターネット接続例である。
【図４】従来技術の情報検索手順を表すフローチャートである。
【図５】従来技術の文書等の登録手順を表すフローチャートである。
【図６】実施例の情報検索手順を表すフローチャートである。
【図７】実施例の名称履歴情報のデータ例である。
【図８】実施例の文書等の登録手順を表すフローチャートである。
【図９】実施例の個人履歴情報等の登録手順を表すフローチャートである。
【図１０】実施例の文書等の登録データのデータ例である。
【図１１】従来技術の検索インデックスの例である。
【図１２】実施例の検索インデックスの例である。
【図１３】実施例のクエリー入力状態説明図である。
【図１４】実施例のクエリー入力状態説明図である。
【図１５】実施例の登録名簿のデータ例である。
【図１６】実施例の人事異動のデータ例である。
【図１７】実施例の検索結果例である。
【図１８】実施例の文書管理データ例である。
【図１９】実施例の個人履歴情報のデータ例である。
【図２０】実施例の名称履歴情報のデータ例である。
【符号の説明】
【００３６】
１    中央処理装置
２    記憶装置
３    入力装置
４    表示装置
５    記憶媒体読取装置
【図１】
2005202581.tif 000003
【図２】
2005202581.tif 000004
【図３】
2005202581.tif 000005
【図４】
2005202581.tif 000006
【図５】
2005202581.tif 000007
【図６】
2005202581.tif 000008
【図７】
2005202581.tif 000009
【図８】
2005202581.tif 000010
【図９】
2005202581.tif 000011
【図１０】
2005202581.tif 000012
【図１１】
2005202581.tif 000013
【図１２】
2005202581.tif 000014
【図１３】
2005202581.tif 000015
【図１４】
2005202581.tif 000016
【図１５】
2005202581.tif 000017
【図１６】
2005202581.tif 000018
【図１７】
2005202581.tif 000019
【図１８】
2005202581.tif 000020
【図１９】
2005202581.tif 000021
【図２０】
2005202581.tif 000022